(57)【要約】【課題】本発明は、時分割通信方式および常時通信方式に対応したＤＣオフセット補正を行うことができる、ダイレクトコンバージョン方式の無線通信装置であって、装置の小型化および製造コストの削減を図ることができる無線通信装置を提供する。【解決手段】本発明の一実施の形態に係わるダイレクトコンバージョン方式の無線通信装置は、第一の補正回路１０および第二の補正回路２０の何れか一方を活性化することができる補正回路選択部ＳＷ１〜ＳＷ３，ＥＮ４を備えている。第一の補正回路１０は、時分割通信方式に対応したＤＣオフセット補正処理を行う。第二の補正回路２０は、常時通信方式に対応したＤＣオフセット補正処理を行う。また第一の補正回路１０は、ＤＡコンバータ１３の前段に配設されており、ＤＡコンバータ１３とロジック部（オフセット検知部）１２との接続、およびＤＡコンバータ１３とベースバンド処理部３０との接続を、択一的に選択できるスイッチ部ＳＷ１とを、備えている。【選択図】図１
2008016920.tif 000002
【特許請求の範囲】
【請求項１】
ＲＦ信号からベースバンド信号への直接変換を行うことができるダイレクトコンバージョン方式の無線通信装置において、
時分割通信方式に対応したＤＣオフセット補正処理を行う第一の補正回路と、
常時通信方式に対応したＤＣオフセット補正処理を行う第二の補正回路と、
前記第一の補正回路および前記第二の補正回路の何れか一方を活性化することができる補正回路選択部とを、
備えており、
前記第一の補正回路は、
ＤＣオフセットを検知する第一のオフセット検知部と、
デジタル信号をアナログ信号に変換するＤＡ変換部と、
前記ＤＡ変換部の前段に配設されており、前記ＤＡ変換部と前記第一のオフセット検知部との接続、および前記ＤＡ変換部とベースバンド処理を行うベースバンド処理部との接続を、択一的に選択できる第一のスイッチ部とを、備えている、
ことを特徴とする無線通信装置。
【請求項２】
前記第二のオフセット検知部は、
前記差分出力信号に基づいて、オフセット電圧を検知する回路であり、
前記第二の補正回路は、
前記第二のオフセット検知部の後段に配設されており、前記オフセット電圧の電圧差に応じた少なくとも１以上の電流対を生成する電流対生成部と、
前記電流対生成部の後段に配設されており、対を形成している電流同士の減算処理を行うことにより、ＤＣオフセット電流成分のみを生成する減算器とを、さらに備えている、
ことを特徴とする請求項１に記載の無線通信装置。
【請求項３】
前記減算器は、
前記減算処理結果を増幅し、前記ＤＣオフセット電流成分を生成する、
ことを特徴とする請求項２に記載の無線通信装置。
【請求項４】
前記電流対生成部は、
第一の電流と第二の電流とを生成する第一のカレントミラー回路と、
前記第一の電流と前記電流対を構成する第三の電流と、前記第二の電流と前記電流対を構成する第四の電流とを生成する、第二のカレントミラー回路とを、備えており、
前記減算器は、
前記第一の電流の電流値と前記第二の電流の電流値との間に第一の差を設け、また前記第三の電流の電流値と前記第四の電流の電流値との間に、前記第一の差と同じ大きさの第二の差を設けた状態おいて、前記第一の電流と前記第三の電流との前記減算処理及び前記増幅処理を行い、前記第二の電流と前記第四の電流との減算処理及び前記増幅処理を行う、
ことを特徴とする請求項３に記載の無線通信装置。
【請求項５】
前記第一の補正回路において、前記第一のオフセット検知部は、
アナログ信号をデジタル信号に変換するＡＤ変換部と、
第二のスイッチ部と前記デジタル信号からＤＣオフセット成分を検出して保持する保持部とを、備えており、
前記第二のスイッチ部は、
前記ＡＤ変換部と前記保持部との接続、および前記ＡＤ変換部と前記ベースバンド処理部との接続を、択一的に選択できる、
ことを特徴とする請求項１に記載の無線通信装置。
【請求項６】
前記ベースバンド処理部は、
前記ＤＣオフセット補正処理の際に、前記第一の補正回路および前記第二の補正回路のうち、当該ＤＣオフセット補正処理に関与していない側の補正回路を待機モードにする、
ことを特徴とする請求項１に記載の無線通信装置。
【請求項７】
ＲＦ信号からベースバンド信号への直接変換を行うことができるダイレクトコンバージョン方式の無線通信装置において、
受信信号を信号処理する受信信号処理部と、
送信信号を信号処理する送信信号処理部とを、備えており、
前記受信信号処理部に対して、常時通信方式に対応したＤＣオフセット補正処理を行う第一の補正回路と、
前記送信信号処理部に対して、前記常時通信方式に対応した前記ＤＣオフセット補正処理を行う第二の補正回路と、
時分割通信方式に対応したＤＣオフセット補正処理を行う第三の補正回路と、
前記受信信号処理部が発生するＤＣオフセットを補正する際には、前記第一の補正回路および前記第三の補正回路の何れか一方を活性化することができ、また、前記送信信号処理部が発生するＤＣオフセットを補正する際には、前記第二の補正回路および前記第三の補正回路の何れか一方を活性化することができる補正回路選択部とを、備えている、
ことを特徴とする無線通信装置。
【請求項８】
ＲＦ信号からベースバンド信号への直接変換を行うことができるダイレクトコンバージョン方式の無線通信装置において、
受信信号を信号処理する受信信号処理部と、
送信信号を信号処理する送信信号処理部とを、備えており、
前記受信信号処理部に対して、常時通信方式に対応したＤＣオフセット補正処理を行う第一の補正回路と、
前記送信信号処理部に対して、前記常時通信方式に対応した前記ＤＣオフセット補正処理を行う第二の補正回路と、
時分割通信方式に対応したＤＣオフセット補正処理を行う第三の補正回路とを、備えており、
前記第三の補正回路は、
当該第三の補正回路の出力側に配設されており、前記受信信号処理部の入力部への接続、前記送信信号処理部の入力部への接続、および開放状態のいずれかを択一に選択することができる、第一のスイッチ部および第二のスイッチ部と、
当該第三の補正回路の入力側に配設されており、前記受信信号処理部の出力部への接続、前記送信信号処理部の出力部への接続、および開放状態のいずれかを択一に選択することができる、第三のスイッチ部および第四のスイッチ部とを、備えている、
ことを特徴とする無線通信装置。
【請求項９】
前記第三の補正回路は、
ＤＣオフセットを検知するオフセット検知部と、
デジタル信号をアナログ信号に変換するＤＡ変換部と、
前記ＤＡ変換部の前段に配設されており、前記ＤＡ変換部と前記オフセット検知部との接続、および前記ＤＡ変換部と前記ベースバンド処理部との接続を、択一的に選択できる第五のスイッチ部とを、さらに備えている、
ことを特徴とする請求項７または請求項８に記載の無線通信装置。
【請求項１０】
前記第三の補正回路において、前記オフセット検知部は、
アナログ信号をデジタル信号に変換するＡＤ変換部と、
第六のスイッチ部と、
前記デジタル信号からＤＣオフセット成分を検出して保持する保持部とを、備えており、前記第六のスイッチ部は、
前記ＡＤ変換部と前記保持部との接続および前記ＡＤ変換部と前記ベースバンド処理部との接続を、択一的に選択できる、
ことを特徴とする請求項９に記載の無線通信装置。
【請求項１１】
前記ベースバンド処理部は、
ＤＣオフセット補正処理の際に、前記第一の補正回路ないし前記第三の補正回路のうち、当該ＤＣオフセット補正処理に関与していない側の補正回路を待機モードにすることができる、
ことを特徴とする請求項７または請求項８に記載の無線通信装置。
【発明の詳細な説明】
【技術分野】
【０００１】
この発明は、無線通信装置に係る発明であり、特に、通信方式に対応したＤＣオフセット補正処理を行うことができる、ダイレクトコンバージョン方式の無線通信装置に関する。
【背景技術】
【０００２】
近年の携帯電話に代表されるように、電話、デジタルカメラ、電子メール、インターネットといった複数機能を融合させることにより、無線通信装置は飛躍的に発展してきている。また、当該無線通信装置の利便性と経済性を両立するために、無線通信装置の小型化、低コスト化が非常に重要となっている。当該無線通信装置の小型化等の観点から、ダイレクトコンバージョン方式の無線通信装置が注目されている。
【０００３】
ここで、当該ダイレクトコンバージョン方式とは、ＲＦ（高周波）信号をＢＢ（ベースバンド）信号に直接変換する方式のことである。集積回路技術の発展に伴い、ダイレクトコンバージョン方式の無線通信装置の製造が可能となってきている。
【０００４】
上記ダイレクトコンバージョン方式の無線通信装置を採用することにより、無線通信装置内部においてＩＦ（中間周波）段が不要になり、ＩＦフィルタとして一般的なＳＡＷフィルタなどの受動部品を大幅に減らすことができる（つまり、無線通信装置の小型化および低コストが可能となる）。ところが、当該ダイレクトコンバージョンでは信号の増幅等に起因して、ＤＣ（直流）オフセットが非常に大きな問題となる。
【０００５】
当該ＤＣオフセットを補正（除去）するタイミングは通信方式により異なり、連続的もしくは間欠的に動作させる必要がある。すなわち、時分割通信方式や常時通信方式のような通信方式が異なると、ＤＣオフセット補正（除去）回路の構成も異なる。したがって、無線通信装置において１種類のＤＣオフセット補正回路のみしか搭載していない場合には、当該無線通信装置は、一つの通信方式に対応したＤＣオフセット補正（除去）しかできなかった。
【０００６】
たとえば、時分割通信方式であるＧＳＭ方式では、送信・受信が間欠動作するために、送受切り替え時にＤＣオフセットを補正することができる。そのため、ＤＣオフセット補正にＤｉｇｉｔａｌ  ｔｒｉｍｍｉｎｇ方式を用いることがあるが、この方式では常時通信方式に対応したＤＣオフセット補正は困難である。これに対して、常時通信方式であるＷ−ＣＤＭＡ方式では送信と受信が常時行われているため、ＤＣオフセットも常時補正する必要がある。そのため、Ｓｅｒｖｏ  ｌｏｏｐ方式を採用することがある。しかし、この方式によるＤＣオフセット補正は、信号帯域の広い無線通信装置に対して有効であるが、主信号成分が減衰してしまうために、ＧＳＭ方式のような信号帯域が狭い無線通信装置では有効でない。
【０００７】
そこで、特許文献１では、時分割通信方式および常時通信方式に対応したＤＣオフセット補正を行うことができる無線通信装置として、時分割通信方式の際にはＤｉｇｉｔａｌ  ｔｒｉｍｍｉｎｇ方式に切替わり、常時通信方式の際にはＳｅｒｖｏ  ｌｏｏｐ方式に切替わる機構を備える構造が開示されている。
【０００８】
【特許文献１】特開２００３−２２９７８０号公報
【発明の開示】
【発明が解決しようとする課題】
【０００９】
しかし、上記特許文献１に開示されている構造を有する無線通信装置の場合には、二種類のＤＣオフセット補正回路が必要となるので、回路規模が大きくなり、製造コストも高くなる。したがって、二種類のＤＣオフセット補正回路を備える、ダイレクトコンバージョン方式の無線通信装置において、当該無線通信装置の小型化および低コスト化を図ることが望まれている。
【００１０】
そこで、本発明は、時分割通信方式および常時通信方式に対応したＤＣオフセット補正を行うことができる、ダイレクトコンバージョン方式の無線通信装置であって、装置の小型化および製造コストの削減を図ることができる無線通信装置を提供することを目的とする。
【課題を解決するための手段】
【００１１】
上記の目的を達成するために、本発明に係る請求項１に記載の無線通信装置は、ＲＦ信号からベースバンド信号への直接変換を行うことができるダイレクトコンバージョン方式の無線通信装置において、時分割通信方式に対応したＤＣオフセット補正処理を行う第一の補正回路と、常時通信方式に対応したＤＣオフセット補正処理を行う第二の補正回路と、前記第一の補正回路および前記第二の補正回路の何れか一方を活性化することができる補正回路選択部とを、備えており、前記第一の補正回路は、ＤＣオフセットを検知する第一のオフセット検知部と、デジタル信号をアナログ信号に変換するＤＡ変換部と、前記ＤＡ変換部の前段に配設されており、前記ＤＡ変換部と前記第一のオフセット検知部との接続、および前記ＤＡ変換部とベースバンド処理を行うベースバンド処理部との接続を、択一的に選択できる第一のスイッチ部とを、備えている。
【００１２】
また、本発明に係る請求項７に記載の無線通信装置は、ＲＦ信号からベースバンド信号への直接変換を行うことができるダイレクトコンバージョン方式の無線通信装置において、受信信号を信号処理する受信信号処理部と、送信信号を信号処理する送信信号処理部とを、備えており、前記受信信号処理部に対して、常時通信方式に対応したＤＣオフセット補正処理を行う第一の補正回路と、前記送信信号処理部に対して、前記常時通信方式に対応した前記ＤＣオフセット補正処理を行う第二の補正回路と、時分割通信方式に対応したＤＣオフセット補正処理を行う第三の補正回路と、前記受信信号処理部が発生するＤＣオフセットを補正する際には、前記第一の補正回路および前記第三の補正回路の何れか一方を活性化することができ、また、前記送信信号処理部が発生するＤＣオフセットを補正する際には、前記第二の補正回路および前記第三の補正回路の何れか一方を活性化することができる補正回路選択部とを、備えている。
【００１３】
また、本発明に係る請求項８に記載の無線通信装置は、ＲＦ信号からベースバンド信号への直接変換を行うことができるダイレクトコンバージョン方式の無線通信装置において、受信信号を信号処理する受信信号処理部と、送信信号を信号処理する送信信号処理部とを、備えており、前記受信信号処理部に対して、常時通信方式に対応したＤＣオフセット補正処理を行う第一の補正回路と、前記送信信号処理部に対して、前記常時通信方式に対応した前記ＤＣオフセット補正処理を行う第二の補正回路と、時分割通信方式に対応したＤＣオフセット補正処理を行う第三の補正回路とを、備えており、前記第三の補正回路は、当該第三の補正回路の出力側に配設されており、前記受信信号処理部の入力部への接続、前記送信信号処理部の入力部への接続、および開放状態のいずれかを択一に選択することができる、第一のスイッチ部および第二のスイッチ部と、当該第三の補正回路の入力側に配設されており、前記受信信号処理部の出力部への接続、前記送信信号処理部の出力部への接続、および開放状態のいずれかを択一に選択することができる、第三のスイッチ部および第四のスイッチ部とを、備えている。
【発明の効果】
【００１４】
本発明の請求項１に記載の無線通信装置は、ＲＦ信号からベースバンド信号への直接変換を行うことができるダイレクトコンバージョン方式の無線通信装置において、時分割通信方式に対応したＤＣオフセット補正処理を行う第一の補正回路と、常時通信方式に対応したＤＣオフセット補正処理を行う第二の補正回路と、前記第一の補正回路および前記第二の補正回路の何れか一方を活性化することができる補正回路選択部とを、備えており、前記第一の補正回路は、ＤＣオフセットを検知する第一のオフセット検知部と、デジタル信号をアナログ信号に変換するＤＡ変換部と、前記ＤＡ変換部の前段に配設されており、前記ＤＡ変換部と前記第一のオフセット検知部との接続、および前記ＤＡ変換部とベースバンド処理を行うベースバンド処理部との接続を、択一的に選択できる第一のスイッチ部とを、備えている。
【００１５】
したがって、時分割通信方式に対応したＤＣオフセット補正処理を行う際およびベースバンド信号の送信処理の際に、共通にＤＡ変換部を使用することができる。よって、装置の小型化および装置の製造コストの削減等を図ることができる。
【００１６】
また、請求項７に記載の無線通信装置は、ＲＦ信号からベースバンド信号への直接変換を行うことができるダイレクトコンバージョン方式の無線通信装置において、受信信号を信号処理する受信信号処理部と、送信信号を信号処理する送信信号処理部とを、備えており、前記受信信号処理部に対して、常時通信方式に対応したＤＣオフセット補正処理を行う第一の補正回路と、前記送信信号処理部に対して、前記常時通信方式に対応した前記ＤＣオフセット補正処理を行う第二の補正回路と、時分割通信方式に対応したＤＣオフセット補正処理を行う第三の補正回路と、前記受信信号処理部が発生するＤＣオフセットを補正する際には、前記第一の補正回路および前記第三の補正回路の何れか一方を活性化することができ、また、前記送信信号処理部が発生するＤＣオフセットを補正する際には、前記第二の補正回路および前記第三の補正回路の何れか一方を活性化することができる補正回路選択部とを、備えている。
【００１７】
つまり、一の無線通信回路において、時分割通信方式に対応したＤＣオフセット補正処理と常時通信方式に対応した前記ＤＣオフセット補正処理とが可能となり、さらに、ＲＦ信号の受信処理時における時分割通信方式に対応したＤＣオフセット補正処理を行う際、および、ベースバンド信号の送信時における時分割通信方式に対応したＤＣオフセット補正処理を行う際に、共通に第三の補正回路を使用することができる。よって、装置の小型化および装置の製造コストの削減等を図ることができる。
【００１８】
また、請求項８に記載の無線通信装置は、ＲＦ信号からベースバンド信号への直接変換を行うことができるダイレクトコンバージョン方式の無線通信装置において、受信信号を信号処理する受信信号処理部と、送信信号を信号処理する送信信号処理部とを、備えており、前記受信信号処理部に対して、常時通信方式に対応したＤＣオフセット補正処理を行う第一の補正回路と、前記送信信号処理部に対して、前記常時通信方式に対応した前記ＤＣオフセット補正処理を行う第二の補正回路と、時分割通信方式に対応したＤＣオフセット補正処理を行う第三の補正回路とを、備えており、前記第三の補正回路は、当該第三の補正回路の出力側に配設されており、前記受信信号処理部の入力部への接続、前記送信信号処理部の入力部への接続、および開放状態のいずれかを択一に選択することができる、第一のスイッチ部および第二のスイッチ部と、当該第三の補正回路の入力側に配設されており、前記受信信号処理部の出力部への接続、前記送信信号処理部の出力部への接続、および開放状態のいずれかを択一に選択することができる、第三のスイッチ部および第四のスイッチ部とを、備えている。
【００１９】
したがって、一の無線通信回路において、時分割通信方式に対応したＤＣオフセット補正処理と常時通信方式に対応した前記ＤＣオフセット補正処理とが可能となり、さらに、ＲＦ信号の受信処理時における時分割通信方式に対応したＤＣオフセット補正処理を行う際、および、ベースバンド信号の送信時における時分割通信方式に対応したＤＣオフセット補正処理を行う際に、共通に第三の補正回路を使用することができる。よって、装置の小型化および装置の製造コストの削減等を図ることができる。
【発明を実施するための最良の形態】
【００２０】
本発明に係わる無線通信装置は、ＲＦ信号からベースバンド信号への直接変換を行うことができるダイレクトコンバージョン方式の無線通信装置である。また、当該無線通信装置は、時分割通信方式および常時通信方式に対応したＤＣオフセット補正を行うことができる（つまり、一の無線通信装置には、時分割通信方式に対応したＤＣオフセット補正回路および常時通信方式に対応したＤＣオフセット補正回路が配設されている）。
【００２１】
以下、この発明をその実施の形態を示す図面に基づいて具体的に説明する。なお、以後の説明では、ＲＦ信号の受信部−ベースバンド処理部間では、ベースバンド処理部側を「後段」と称する。これに対して、ＲＦ信号の送信部−ベースバンド処理部間では、ベースバンド処理部側を「前段」と称する。
【００２２】
＜実施の形態１＞
本実施の形態に係わる無線通信装置は、時分割通信方式に対応したＤＣオフセット補正回路（後述する第一の補正回路１０）を構成するＤＡコンバータを、ベースバンド信号をＲＦ信号として外部に送信する送信処理の際にも共通に使用することができる、構成を有する。
【００２３】
図１は、本実施の形態に係わる無線通信装置の一部を示す回路図である。図１では、本実施の形態に係わる無線通信装置の主要部のみを図示している。ここで、本実施の形態に係わるダイレクトコンバージョン方式の無線通信装置には、公知のダイレクトコンバージョン方式の無線通信装置と同様に、図１に示す回路ブロック以外の回路ブロックも配設されている。しかし、図１では、図面簡略化のために本実施の形態の説明と関連性の低い回路ブロックの図示を省略している。
【００２４】
図１に示すように、本実施の形態に係わる無線通信装置は、第一の補正回路１０、第二の補正回路２０、ベースバンド処理部３０、受信側差動増幅器ＡＭＰ１、送信側差動増幅器ＡＭＰ２、および複数のスイッチＳＷ２，ＳＷ３等を備えている。
【００２５】
ここで、第一の補正回路１０は、Ｄｉｇｉｔａｌ  ｔｒｉｍｍｉｎｇ方式の補正回路であり、時分割通信方式に対応したＤＣオフセット補正処理を行うことができる。また、第二の補正回路２０は、Ｓｅｒｖｏ  ｌｏｏｐ方式の補正回路であり、常時通信方式に対応したＤＣオフセット補正処理を行うことができる。当該補正回路１０，２０では、ＲＦ信号を受信してからベースバンド処理部３０までの経路中に発生するＤＣオフセット（より具体的には、受信側差動増幅器ＡＭＰ１で発生するＤＣオフセット）を補正することができる。
【００２６】
第一の補正回路１０は、ＡＤコンバータ（ＡＤ変換部）１１、ロジック部（第一のオフセット検知部と把握できる）１２、ＤＡコンバータ（ＤＡ変換部と把握できる）１３、スイッチ部（第一のスイッチ部と把握できる）ＳＷ１、および抵抗器Ｒ１，Ｒ２により構成されている。また、第二の補正回路２０は、オフセット検知部（第二のオフセット検知部と把握できる）２１、演算・増幅器２２、および抵抗器Ｒ１，Ｒ２により構成されている。
【００２７】
上記説明および図１から分かるように、抵抗器Ｒ１、Ｒ２は、第一の補正回路１０および第二の補正回路２０において共通に使用されている。ここで、図１に示すように、当該抵抗器Ｒ１，Ｒ２の一方端には、固定電位（所定の固定電源もしくは接地電位等）が接続されている。
【００２８】
また、無線通信装置は、第一の補正回路１０および第二の補正回路２０の何れか一方を活性化することができる補正回路選択部を備えている。ここで、図１において、スイッチ部ＳＷ１，ＳＷ２，ＳＷ３と、当該各スイッチ部ＳＷ１，ＳＷ２，ＳＷ３を制御する制御信号ＥＮ１，ＥＮ２，ＥＮ３および演算・増幅器２２の活性・非活性を制御する制御信号ＥＮ４を送信するベースバンド処理部３０とにより、当該補正回路選択部は構成されている。
【００２９】
上述の通り、各制御信号ＥＮ１〜ＥＮ４は、ベースバンド処理部３０から出力されている。つまり、当該ベースバンド処理部３０が、各スイッチ部ＳＷ１〜ＳＷ３のスイッチング処理および演算・増幅器２２の活性・非活性を制御している。
【００３０】
図１の構成において、ＡＤコンバータ１１は、アナログ信号をデジタル信号に変換する回路である。また、ロジック部１２は、ＤＣオフセット成分を検知（抽出）する回路である。また、ＤＡコンバータ１３は、デジタル信号をアナログ信号に変換する回路であり、ロジック部１２で検知したＤＣオフセット成分を所定期間保持することができる。ここで、当該所定期間とは、今回のＤＣオフセット補正が行われてから、次のＤＣオフセット補正が行われるまでの間の期間である。また、ＤＣオフセット検知部２１は、ＤＣ成分近傍の信号（ＤＣオフセット電圧とも把握できる）を検知（抽出）する回路である。また、演算・増幅器２２は、入力信号の増幅および所定の演算処理を実行する回路である。
【００３１】
また、図１において、受信側差動増幅器ＡＭＰ１は、差動入力端子ＲＸＩＮ，ＲＸＩＮＢから入力された差動入力信号を増幅して、差動出力端子ＲＸＯＵＴ，ＲＸＯＵＴＢから増幅した差動出力信号を出力する。また、上記差動入力端子ＲＸＩＮ，ＲＸＩＮＢには抵抗器Ｒ１，Ｒ２の他方端が接続されている。
【００３２】
また、図１において、スイッチ部ＳＷ１は、ＤＡコンバータ１３の前段に配設されており、当該ＤＡコンバータとロジック部（第一のオフセット検知部）１２との接続、および当該ＤＡコンバータ１３とベースバンド処理を行うベースバンド処理部３０との接続を、択一的に選択できる。
【００３３】
つまり、スイッチ部ＳＷ１の配設により、ＤＡコンバータ１３を信号送信時にデジタル信号であるベースバンド信号をアナログ信号に変換する回路として使用できると共に、時分割通信方式に対応したＤＣオフセット補正処理時に第一の補正回路１０の一部として使用することができる。したがって、本実施の形態では、ＤＡコンバータ１３は、信号送信時および時分割通信方式に対応したＤＣオフセット補正処理時に、共通して使用することができる。
【００３４】
本実施の形態では、スイッチ部ＳＷ１は、上述した補正回路選択部の一部を構成していると共に、ＤＡコンバータ１３とロジック部１２との接続およびＤＡコンバータ１３とベースバンド処理部３０との接続を択一的に選択するスイッチ部を構成している。
【００３５】
なお、図１の構成から分かるように、受信側差動増幅器ＡＭＰ１の差動出力端子ＲＸＯＵＴ，ＲＸＯＵＴＢには、第一の補正回路１０および第二の補正回路２０の入力が接続される。また、受信側差動増幅器ＡＭＰ１の差動入力端子ＲＸＩＮ，ＲＸＩＮＢには、第二の補正回路２０の出力が接続され、またスイッチ部ＳＷ２，ＳＷ３の動作次第では、第一の補正回路１０の出力が接続される。
【００３６】
つまり、スイッチ部ＳＷ１〜ＳＷ３の動作次第では、受信側差動増幅器ＡＭＰ１、ＡＤコンバータ１１、ロジック部１２、スイッチＳＷ１、ＤＡコンバータ１３、およびスイッチＳＷ２，ＳＷ３を経て、受信側差動増幅器ＡＭＰ１に帰還する第一の帰還ループが形成される。さらに、スイッチ部ＳＷ１〜ＳＷ３の動作および制御信号ＥＮ４次第では、受信側差動増幅器ＡＭＰ１、ＤＣオフセット検知部２１、および演算・増幅器２２を経て、受信側差動増幅器ＡＭＰ１に帰還する第二の帰還ループが形成される。
【００３７】
以下、本実施の形態に係わる無線通信装置の動作（より具体的に、通信方式に対応して補正回路１０，２０の何れかを選択する動作）について説明する。
【００３８】
まず、無線通信装置が、時分割通信方式に対応したＤＣオフセット補正処理を行う場合について説明する。
【００３９】
当該場合には、ベースバンド処理部３０は、スイッチ部ＳＷ１が端子ａと接続するように、当該スイッチ部ＳＷ１に対して制御信号ＥＮ１を送信する。また、ベースバンド処理部３０は、スイッチ部ＳＷ２が端子ｃと接続するように、またスイッチ部ＳＷ３が端子ｆと接続するように、当該スイッチ部ＳＷ２，ＳＷ３に対して制御信号ＥＮ２，ＥＮ３を各々送信する。さらに、ベースバンド処理部３０は、演算・増幅器２２が非活性となるように、当該演算・増幅器２２に対して制御信号ＥＮ４を送信する。
【００４０】
当該各制御信号ＥＮ１〜ＥＮ４の送信により、第一の帰還ループが形成（選択）されるとともに、第二の補正回路２０は非活性化される。つまり、第一の補正回路１０が活性化される（アクティブになる）。
【００４１】
上記のように第一の補正回路１０が活性化されると、受信側差動増幅器ＡＭＰ１からの差動出力信号は、ＡＤコンバータ１１に入力され、アナログ信号である差動出力信号はデジタル信号に変換される。その後、当該変換されたデジタル信号は、ロジック部１２において演算処理がなされ、ＤＣオフセット成分が抽出される。そして、当該ロジック部１２において当該抽出されたＤＣオフセット成分の量に応じたコードが生成される。当該コードは、ＤＡコンバータ１３に入力され、デジタル信号からアナログ信号（ＤＣオフセット電流）に変換され、当該ＤＣオフセット電流は、受信側差動増幅器ＡＭＰ１の差動入力端子ＲＸＩＮ，ＲＸＩＮＢに帰還される。そして、当該ＤＣオフセット電流が抵抗器Ｒ１，Ｒ２に流れることにより、ＤＣオフセット補正（ＤＣオフセット電圧の補正）がなされる。
【００４２】
つまり、無線通信装置は、第一の補正回路１０を用いて、時分割通信方式に対応したＤＣオフセット補正処理を実行する。なお、ＤＡコンバータ１３では、当該コードを次のＤＣオフセット補正処理が行われるまで保持する。
【００４３】
次に、無線通信装置が、常時通信方式に対応したＤＣオフセット補正処理を行う場合について説明する。
【００４４】
当該場合には、ベースバンド処理部３０は、スイッチ部ＳＷ１が端子ｂと接続するように、当該スイッチ部ＳＷ１に対して制御信号ＥＮ１を送信する。また、ベースバンド処理部３０は、スイッチ部ＳＷ２が端子ｄと接続するように、またスイッチ部ＳＷ３が端子ｅと接続するように、当該スイッチ部ＳＷ２，ＳＷ３に対して制御信号ＥＮ２，ＥＮ３を各々送信する。さらに、ベースバンド処理部３０は、演算・増幅器２２が活性となるように、当該演算・増幅器２２に対して制御信号ＥＮ４を送信する。
【００４５】
当該各制御信号ＥＮ１〜ＥＮ４の送信により、第二の帰還ループが選択されるとともに、第一の補正回路１０は非活性化される。つまり、第二に補正回路２０が活性化される（アクティブになる）。さらに、ベースバンド処理部３０から送信されるベースバンド信号を、ＤＡコンバータ１３および送信側差動増幅器ＡＭＰ２等を介して、ＲＦ信号として外部に送信することができる経路が形成される。また、当該第二の補正回路２０の活性状態では、受信側差動増幅器ＡＭＰ１、ベースバンドフィルタ（図示せず）、受信用ＡＤコンバータ（図示せず）等を介してベースバンド処理部へと受信信号が伝達される、受信動作も当然に可能である。
【００４６】
上記のように第二の補正回路２０が活性化されると、受信側差動増幅器ＡＭＰ１からの差動出力信号は、ＤＣオフセット検知部２１に入力され、当該ＤＣオフセット検知部２１においてＤＣ近傍の信号が抽出される。当該抽出されたＤＣ近傍の信号は演算・増幅器２２に入力され、当該演算・増幅器２２においてＤＣオフセット信号が抽出される。その後、演算・増幅器２２は、当該ＤＣオフセット信号に応じたＤＣオフセット電流を、受信側差動増幅器ＡＭＰ１の差動入力端子ＲＸＩＮ，ＲＸＩＮＢに帰還させる。そして、当該ＤＣオフセット電流が抵抗器Ｒ１，Ｒ２に流れることにより、ＤＣオフセット補正（ＤＣオフセット電圧の補正）がなされる。
【００４７】
つまり、無線通信装置は、第二の補正回路２０を用いて、常時通信方式に対応したＤＣオフセット補正処理を実行する。
【００４８】
以上のように、本実施の形態に係わる無線通信装置は、スイッチ部ＳＷ１を設けることにより、外部への信号の送信時および時分割通信方式に対応したＤＣオフセット補正処理時に、ＤＡコンバータ１３を共通に使用している。
【００４９】
したがって、余分なＤＡコンバータ１３の配設を省略することができるので、図２に示す構造と比較して、無線通信装置全体の小型化が可能となると共に、製造コストの削減を図ることができる。ここで、図２は、本実施の形態のようにＤＡコンバータを共通使用しなかった場合の構成を示す図である。
【００５０】
なお、上述の通り、当該ダイレクトコンバージョン方式の無線通信装置は、時分割通信方式に対応したＤＣオフセット補正処理および常時通信方式に対応したＤＣオフセット補正処理を選択的に実行することもできることは、言うまでも無い。
【００５１】
また、本実施の形態に係わる無線通信装置では、第一の補正回路１０および第二の補正回路２０は、受信側差動増幅器ＡＭＰ１からの差動出力信号を入力し、出力信号を当該受信側差動増幅器ＡＭＰ１への差動入力信号にフィードバックさせることにより、ＤＣオフセット補正処理を行っている。また、第二の補正回路２０を構成するオフセット検知部２１は、ローパスフィルタである。したがって、簡易な回路構成により、ＤＣオフセットの補正を行うことができる。
【００５２】
また、本実施の形態に係わる無線通信装置は、ベースバンド処理を行うベースバンド処理部３０が、制御信号ＥＮ１〜ＥＮ４を送出している。そして、当該制御信号ＥＮ１〜ＥＮ４により、補正回路１０，２０の択一的選択および、ＤＡコンバータ１３とロジック部１２との接続と、ＤＡコンバータ１３とベースバンド処理部３０との接続との択一的選択を行っている。
【００５３】
（効果）
また、本実施の形態に係わる無線通信装置では、ベースバンド処理部３０が次のように構成されていても良い。つまり、ＤＣオフセット補正処理の際に、第一の補正回路１０および第二の補正回路２０のうち、当該ＤＣオフセット補正処理に関与していない側の補正回路を待機モード（電源オフもしくはスタンバイ）にする制御を行うように、当該ベースバンド処理部３０が構成されていても良い。
【００５４】
上記のように、ＤＣオフセット補正処理に関与していない側の補正回路を待機モード（電源オフもしくはスタンバイ）とすることにより、無線通信装置の低消費電力化を図ることができる。
【００５５】
なお、ベースバンド処理部３０が上記待機モード制御が可能なように構成されている場合において、第二の補正回路２０が活性化されているときには、第一の補正回路１０は待機モードになるように制御される。ただし、ベースバンド処理部３０からのベースバンド信号をＲＦ信号に変換して外部に送信する際には、ベースバンド処理部３０は、ＤＡコンバータ１３を活性化させる（アクティブにする）。
【００５６】
なお、ベースバンド処理部３０の制御において、上記各スイッチ部ＳＷ１〜ＳＷ３の制御のタイミングと補正回路１０、２０の待機モード解除のタイミングとが異なっていても良い。たとえば、第二の補正回路２０が活性化状態にあり（つまり、第二の補正回路２０を含む第二の帰還ループが選択されている）、第一の補正回路１０が非活性である（つまり、待機モードである）場合について考える。当該場合において、第一の補正回路１０を含む第一の帰還ループが選択させた後、当該第一の補正回路１０の待機モードを解除しても良い。
【００５７】
なお、上記では受信側差動増幅器ＡＭＰ１で発生するＤＣオフセットを補正する場合について言及した。しかし、ベースバンド増幅器のＤＣオフセット補正、ミキサのＤＣオフセット補正、またはバッファ・フィルタ等のＤＣオフセット補正にも、本実施の形態に係わる構成を適用することができる。なお、図３に、ミキサで発生するＤＣオフセットを補正することができる本実施の形態に係わる無線通信装置の構成図を示す。
【００５８】
＜実施の形態２＞
本実施の形態では、実施の形態１で説明した第二の補正回路２０の詳細な構成について説明する。図４は、本実施の形態に係わる第二の補正回路２０の構成を示すブロック図である。
【００５９】
本実施の形態に係わる第二の補正回路２０は、実施の形態１で説明したようにＤＣオフセットを検知するＤＣオフセット検知部（第二のオフセット検知部と把握できる）２１を、備えている。ここで、当該オフセット検知部２１は、ローパスフィルタである。また、本実施の形態に係わる第二の補正回路２０では、図４に示すように、演算・増幅器２２は、ＤＣオフセット検知部２１の後段に接続された電流対生成部２２ａと、当該電流対生成部２２ａの後段に接続された減算器２２ｂとにより構成されている。
【００６０】
なお、ＤＣオフセット検知部２１の入力部は、受信側差動増幅器ＡＭＰ１の差動出力端子ＲＸＯＵＴ，ＲＸＯＵＴＢに接続されている。また、減算器２２ｂの出力部は、受信側差動増幅器ＡＭＰ１の差動入力端子ＲＸＩＮ，ＲＸＩＮＢに接続されると共に、抵抗器Ｒ１の他端、抵抗器Ｒ２の他端に接続される。
【００６１】
図４において、ＤＣオフセット検知部２１は、受信側差動増幅器ＡＭＰ１からの送信される差動出力信号に基づいて、オフセット電圧を検知（抽出）する回路である。また、電流対生成部２２ａは、オフセット検知部２１で検知（抽出）されたオフセット電圧を増幅すると共に、当該増幅されたオフセット電圧の電圧差に応じた、少なくとも１以上のアナログ電流対を生成する回路である。ここで、電流対を構成する各電流は、ＤＣ電流成分を含むＤＣオフセット電流である。
【００６２】
また、減算器２２ｂは、電流対生成部２２ａで生成された対を形成している電流同士の減算処理を行うことにより、ＤＣオフセット電流成分のみを生成する回路である。つまり、減算器２２ｂでは、ＤＣオフセット補正電流からＤＣ電流成分を減算する処理を行っている。なお、第二の補正回路２０で扱っている信号が差動信号（正の信号、負の信号であるので、減算器２２ｂでは、（正−負）と（負−正）の２種類の減算処理を行い、その結果を増幅して出力している。
【００６３】
次に、図４に示した第二の補正回路２０の具体的な回路例を用いて、本実施の形態に係わる第二の補正回路２０の動作を説明する。図５は、第二の補正回路２０の具体的な構成例を示す回路図である。
【００６４】
図５において、ＤＣオフセット検知部２１は、抵抗とコンデンサーとから構成されるローパスフィルタである。また、電流対生成部２２ａは、固定電源に接続されており、複数のトランジスタにより構成されるカレントミラー回路と、複数のトランジスタおよび抵抗器（カレントミラー回路を構成しているトランジスタの一部を含む）により構成される差動増幅回路とから構成されている。
【００６５】
ここで、図５に示すように、カレントミラー回路は、第一の電流Ｉ１１と第二の電流Ｉ１２とを生成する第一のカレントミラー回路と、第一の電流Ｉ１１と電流対を構成する第三の電流Ｉ２１と、第二の電流Ｉ１２と電流対を構成する第四の電流Ｉ２２とを生成する第二のカレントミラー回路とから成る。
【００６６】
また、減算器２２ｂは、複数のトランジスタで構成される二つの減算回路により構成されている。ここで、減算回路では、電流対生成部２２ａから出力される対を形成するアナログ電流同士（Ｉ１１とＩ２１、もしくはＩ１２とＩ２２）の減算処理を行い、その結果を増幅して出力している。
【００６７】
第二の補正回路２０が上記内容（図５の回路）で構成されている状態において、第二の帰還ループが選択され、第二の補正回路２０がアクティブになると（活性化されると）、受信側差動増幅器ＡＭＰ１の差動出力信号は、ＤＣオフセット検知部２１に入力される。その後、ＤＣオフセット検知部２１では、ＤＣ成分近傍の信号（オフセット電圧とも把握できる）が抽出される。
【００６８】
当該抽出されたオフセット電圧が電流対生成部２２ａに入力されると、当該オフセット電圧は、電流対生成部２２ａにおいて増幅される。そして、当該増幅されてたＤＣオフセット電圧に応じた２対の電流対（Ｉ１１とＩ２１、およびＩ１２とＩ２２）を生成し、当該電流対を後段の減算器２２ｂに向けて出力する。
【００６９】
当該電流対を形成する各電流は減算器２２ｂに入力されると、第一の電流Ｉ１１と第三の電流Ｉ２１（第一の電流と第三の電流とにより一の電流対が構成されている）とが減算処理されると共に、第四の電流Ｉ２２と第二の電流Ｉ１２（第二の電流と第四の電流とにより他の一の電流対が構成されている）とが減算処理され、その結果が増幅される。
【００７０】
当該減算処理により、ＤＣオフセット電流成分のみが抽出され、受信側差動増幅器ＡＭＰ１の差動入力端子ＲＸＩＮ，ＲＸＩＮＢに入力（帰還）されると共に、抵抗器Ｒ１，Ｒ２に流れる。
【００７１】
このように、抵抗器Ｒ１，Ｒ２にＤＣオフセット電流成分を流すことにより、常時通信方式に対応したＤＣオフセット補正処理がなされる。
【００７２】
ここで、トランジスタＭ１とトランジスタＭ２のＷ／Ｌサイズが同じで、トランジスタＭ３とトランジスタＭ４のＷ／Ｌサイズが同じで、トランジスタＭ１１とトランジスタＭ１２のＷ／Ｌサイズが同じで、トランジスタＭ２１とトランジスタＭ２２のＷ／Ｌサイズが同じである場合には、図６に示す特性を有するＤＣオフセット電流成分が減算器２２ｂより出力される。
【００７３】
以上のように、本実施の形態に係わる第二の補正回路２０では、ＤＣオフセット電流成分のみ（またはＤＣオフセット電流成分に僅かなＤＣ電流を含む電流も含む。当該電流を補正電流と称することにする）を減算器２２ｂから出力し、当該補正電流をＤＣオフセット補正処理の際に用いる（つまり、補正電流を受信側差動増幅器ＡＭＰ１に帰還させるとと共に、抵抗器Ｒ１，Ｒ２に流す）。
【００７４】
これにより、ＤＣオフセットを補正する対象の同相信号（受信側差動増幅器ＡＭＰ１の差動入力部ＲＸＩＮ，ＲＸＩＮＢに入力する差動入力信号）レベルの振幅変化を最小限に抑えることができる。つまり、ＤＣオフセットの補正電流は、同相電流を含まないので、同相電流分の低消費電力化が図れる。また受信側差動増幅器ＡＭＰ１に入力される上記同相信号の振幅を制限せずに済む。
【００７５】
なお、図５に示した第二の補正回路２０では、トランジスタで構成された減算器２２ｂを用いているため、ＤＣオフセット電圧の０Ｖ近傍では、トランジスタＭ１３，Ｍ１４，Ｍ２３，Ｍ２４のゲート・ソース間電圧は閾値以下での動作となる。このため、ＤＣオフセット電圧の０Ｖ近傍におけるＤＣオフセット電圧に対する補正電流（図６参照）の感度は、良くない。つまり、図６のオフセット電圧Ｖｏｆｆｓｅｔの「０Ｖ」付近を見ると、オフセット電流Ｉｏｆｆｓｅｔ１，２の傾きは、小さい。
【００７６】
そこで、減算器２２ｂにおいて、以下の電流条件による減算処理を行うようにしても良い。
【００７７】
つまり、第一の電流Ｉ１１の電流値と第二の電流Ｉ１２の電流値との間に第一の差を設け、また第三の電流Ｉ２１の電流値と第四の電流Ｉ２２の電流値との間に、上記第一の差と同じ大きさの第二の差を設けた状態おいて、減算器２２ｂにおいて、第一の電流Ｉ１１と第三の電流Ｉ２１との減算処理を行い、第二の電流Ｉ１２と第四の電流Ｉ２２との減算処理を行う。
【００７８】
つまり、減算器２２ｂにおいて、電流Ｉ１１と電流Ｉ２１、および、電流Ｉ１２と電流Ｉ２２とを平衡に減算するのでは無く、非平衡に減算し、当該減算後の補正電流をフィードバックする。
【００７９】
上記電流条件を成立させる方法として、たとえば、電流対生成部２２ａにおいて、トランジスタＭ１のＷ／Ｌサイズに対するトランジスタＭ２のＷ／Ｌサイズのサイズ比を、１以外の第一のサイズ比に設定する。また、トランジスタＭ３のＷ／Ｌサイズに対するトランジスタＭ４のＷ／Ｌサイズのサイズ比を、第一のサイズ比と同じ比率の第二のサイズ比に設定する。
【００８０】
または、上記電流条件を成立させる他の方法として、減算器２２ｂにおいて、トランジスタＭ１１のＷ／Ｌサイズに対するトランジスタＭ１２のＷ／Ｌサイズのサイズ比を、１以外の第三のサイズ比に設定する。また、トランジスタＭ２１のＷ／Ｌサイズに対するトランジスタＭ２２のＷ／Ｌサイズのサイズ比を、第三のサイズ比と同じ比率の第四のサイズ比に設定する。
【００８１】
減算器２２ｂにおいて上記電流条件にて減算処理を行うことにより、ＤＣオフセットがゼロのときでも当該減算器２２ｂから出力電流が流れるため、トランジスタＭ１３，Ｍ１４，Ｍ２３，Ｍ２４のゲート・ソース間電圧は、閾値程度もしくは閾値以上での動作となる。
【００８２】
なお、上記電流条件により減算処理を行った後、受信側差動増幅器ＡＭＰ１の差動入力端子ＲＸＩＮ，ＲＸＩＮＢに帰還する補正電流は、図７のような特性を有する。図７に示す特性を有する補正電流が抵抗器Ｒ１，Ｒ２に流れることにより、ＤＣオフセット補正処理がなされる。
【００８３】
したがって、ＤＣオフセット電圧の０Ｖ近傍における補正電流の感度を改善することができる。つまり、図７に示すように、オフセット電圧Ｖｏｆｆｓｅｔの「０Ｖ」付近を見ると、オフセット電流Ｉｏｆｆｓｅｔ１，２の傾きは、図６の場合と比較して大きくなる。よって、小さいオフセット電圧においても、より大きな補正電流を発生させることができ、ＤＣオフセット補正の向上をより図ることが可能となる。
【００８４】
なお、本実施の形態に係わる第二の補正回路２０の図４以外の他のブロック図として、上記動作が可能な図８に示すＳｅｒｖｏ  ｌｏｏｐ回路を適用しても良い。
【００８５】
＜実施の形態３＞
本実施の形態では、実施の形態１に係わる無線通信装置において、ＲＦ信号の受信信号処理の際と、第一の補正回路１０における補正処理の際とで、一つのＡＤコンバータを共通に使用することができる構成について説明する。図９は、本実施の形態に係わる無線通信装置の要部の構成を示すブロック図である。
【００８６】
図９に示すように、第一の補正回路１０は、実施の形態１と同様に、アナログ信号をデジタル信号に変換するＡＤコンバータ１６を備えている。ただし、本実施の形態では、当該ＡＤコンバータ１６は、上述の通り、ＲＦ信号の受信信号処理の際にも使用される（ＡＤコンバータ１６の共通使用）。
【００８７】
当該ＡＤコンバータ１６の共通使用を可能とするために、本実施の形態に係わる第一の補正回路１０は、図９に示すように、ＡＤコンバータ１６の後段にスイッチ部（第二のスイッチ部と把握できる）ＳＷ４が配設されている。当該スイッチ部ＳＷ４の配設により、ＡＤコンバータ１６とロジック部（第一のオフセット検知部と把握できる）１２との接続、およびＡＤコンバータ１６とベースバンド処理部３０との接続を、択一的に選択できる。
【００８８】
なお、図９では、図１では図示を省略した、ＲＦ信号の受信信号処理の際に使用されるバンドパスフィルタ（ローパスフィルタ）４０も図示されている。当該バンドパスフィルタ４０は、ＲＦ信号の受信信号処理の際に使用され、第一の補正回路１０におけるＤＣオフセット補正処理の際には使用されない。したがって、本実施の形態では、図９に示すように、スイッチ部ＳＷ５，ＳＷ６が配設されている。
【００８９】
ここで、図９に示されている各スイッチ部ＳＷ１〜ＳＷ６は、ベースバンド処理部３０から送信される制御信号ＥＮ１〜ＥＮ３，ＥＮ５〜ＥＮ７に基づいて、そのスイッチング動作が制御されている。また、演算・増幅器２２は、ベースバンド処理部３０から送信される制御信号ＥＮ４に基づいて、その活性・非活性が制御されている。
【００９０】
図９において上記以外の構成は、実施の形態１に係わる無線通信装置の構成と同じである。よって、ここでの他の構成についての詳細な説明は省略する。
【００９１】
以下、本実施の形態に係わる無線通信装置の動作（より具体的に、通信方式に対応して補正回路１０，２０の何れかを選択する動作）について説明する。
【００９２】
まず、無線通信装置が、時分割通信方式に対応したＤＣオフセット補正処理を行う場合について説明する。
【００９３】
当該場合には、ベースバンド処理部３０は、スイッチ部ＳＷ１が端子ａと接続するように、当該スイッチ部ＳＷ１に対して制御信号ＥＮ１を送信する。また、ベースバンド処理部３０は、スイッチ部ＳＷ２が端子ｃと接続するように、またスイッチ部ＳＷ３が端子ｆと接続するように、当該スイッチ部ＳＷ２，ＳＷ３に対して制御信号ＥＮ２，ＥＮ３を各々送信する。また、ベースバンド処理部３０は、スイッチ部ＳＷ４が端子ｈと接続するように、当該スイッチ部ＳＷ４に対して制御信号ＥＮ５を送信する。また、ベースバンド処理部３０は、スイッチ部ＳＷ５，ＳＷ６が閉じるように、当該スイッチ部ＳＷ５，ＳＷ６に対して制御信号ＥＮ６，ＥＮ７を各々送信する。さらに、ベースバンド処理部３０は、演算・増幅器２２が非活性となるように、当該演算・増幅器２２に対して制御信号ＥＮ４を送信する。
【００９４】
当該各制御信号ＥＮ１〜ＥＮ７の送信により、第一の帰還ループが形成（選択）されるとともに、第二の補正回路２０は非活性化される。つまり、第一の補正回路１０が活性化される（アクティブになる）。また、バンドパスフィルタ（ローパスフィルタ）４０を機能させることも無い。
【００９５】
上記のように第一の補正回路１０が活性化されると、受信側差動増幅器ＡＭＰ１からの差動出力信号は、バンドパスフィルタ（ローパスフィルタ）４０を介さず、ＡＤコンバータ１６に入力され、当該ＡＤコンバータ１６において、アナログ信号である差動出力信号はデジタル信号に変換される。
【００９６】
その後、当該変換されたデジタル信号は、ロジック部１２において演算処理がなされ、ＤＣオフセット成分が抽出される。そして、当該ロジック部１２において当該抽出されたＤＣオフセット成分の量に応じたコードが生成される。当該コードは、ＤＡコンバータ１３に入力され、デジタル信号からアナログ信号（ＤＣオフセット電流）に変換され、当該ＤＣオフセット電流は、受信側差動増幅器ＡＭＰ１の差動入力端子ＲＸＩＮ，ＲＸＩＮＢに帰還される。そして、当該ＤＣオフセット電流が抵抗器Ｒ１，Ｒ２に流れることにより、ＤＣオフセット補正（ＤＣオフセット電圧の補正）がなされる。
【００９７】
つまり、無線通信装置は、第一の補正回路１０を用いて、時分割通信方式に対応したＤＣオフセット補正処理を実行する。なお、ＤＣコンバータ１３では、上述したコードを次のＤＣオフセット補正処理が行われるまで保持する。
【００９８】
次に、無線通信装置が、常時通信方式に対応したＤＣオフセット補正処理を行う場合について説明する。
【００９９】
当該場合には、ベースバンド処理部３０は、スイッチ部ＳＷ１が端子ｂと接続するように、当該スイッチ部ＳＷ１に対して制御信号ＥＮ１を送信する。また、ベースバンド処理部３０は、スイッチ部ＳＷ２が端子ｄと接続するように、またスイッチ部ＳＷ３が端子ｅと接続するように、当該スイッチ部ＳＷ２，ＳＷ３に対して制御信号ＥＮ２，ＥＮ３を各々送信する。また、ベースバンド処理部３０は、スイッチ部ＳＷ４が端子ｇと接続するように、当該スイッチ部ＳＷ４に対して制御信号ＥＮ５を送信する。また、ベースバンド処理部３０は、スイッチ部ＳＷ５，ＳＷ６が開くように、当該スイッチ部ＳＷ５，ＳＷ６に対して制御信号ＥＮ６，ＥＮ７を各々送信する。さらに、ベースバンド処理部３０は、演算・増幅器２２が活性となるように、当該演算・増幅器２２に対して制御信号ＥＮ４を送信する。
【０１００】
当該各制御信号ＥＮ１〜ＥＮ７の送信により、第二の帰還ループが選択されるとともに、第一の補正回路１０は非活性化される。つまり、第二に補正回路２０が活性化される（アクティブになる）。さらに、ベースバンド処理部３０から送信されるベースバンド信号を、ＤＡコンバータ１３および送信側差動増幅器ＡＭＰ２等を介して、ＲＦ信号として外部に送信することができる経路が形成される。また、当該第二の補正回路２０の活性状態では、受信側差動増幅器ＡＭＰ１、ベースバンドフィルタ４０、ＡＤコンバータ１６等を介してベースバンド処理部３０へとＲＦ受信信号が伝達される、受信動作も当然に可能である。
【０１０１】
上記のように第二の補正回路２０が活性化されると、受信側差動増幅器ＡＭＰ１からの差動出力信号は、ＤＣオフセット検知部２１に入力され、当該ＤＣオフセット検知部２１においてＤＣ近傍の信号が抽出される。当該抽出されたＤＣ近傍の信号は演算・増幅器２２に入力され、当該演算・増幅器２２においてＤＣオフセット信号が抽出される。その後、演算・増幅器２２は、当該ＤＣオフセット信号に応じたＤＣオフセット電流を、受信側差動増幅器ＡＭＰ１の差動入力端子ＲＸＩＮ，ＲＸＩＮＢに帰還させる。そして、当該ＤＣオフセット電流が抵抗器Ｒ１，Ｒ２に流れることにより、ＤＣオフセット補正（ＤＣオフセット電圧の補正）がなされる。
【０１０２】
つまり、無線通信装置は、第二の補正回路２０を用いて、常時通信方式に対応したＤＣオフセット補正処理を実行する。
【０１０３】
以上のように、本実施の形態に係わる無線通信装置は、スイッチ部ＳＷ４を設けることにより、ＲＦ信号の受信時および時分割通信方式に対応したＤＣオフセット補正処理時に、ＡＤコンバータ１６を共通に使用している。
【０１０４】
したがって、余分なＡＤコンバータの配設を省略することができるので、図２に示す構成の場合よりも、無線通信装置全体の小型化が可能となると共に、製造コストの削減を図ることができる。ここで、図２は、ＡＤコンバータの共通使用をしなかった場合の構成図でもある。
【０１０５】
なお、上述の通り、当該ダイレクトコンバージョン方式の無線通信装置は、時分割通信方式に対応したＤＣオフセット補正処理および常時通信方式に対応したＤＣオフセット補正処理を選択的に実効することもできることは言うまでも無い。
【０１０６】
また、本実施の形態に係わる無線通信装置は、ベースバンド処理を行うベースバンド処理部３０が、制御信号ＥＮ１〜ＥＮ７を送出している。そして、当該制御信号ＥＮ１〜ＥＮ７により、補正回路１０，２０の択一的選択、ＤＡコンバータ１３とロジック部１２との接続と、ＤＡコンバータ１３とベースバンド処理部３０との接続との択一的選択、およびＡＤコンバータ１６とロジック部１２との接続と、ＡＤコンバータ１６とベースバンド処理部３０との接続との択一的選択を行っている。
【０１０７】
（効果）
また、本実施の形態に係わる無線通信装置では、ベースバンド処理部３０が次のように構成されていても良い。つまり、ＤＣオフセット補正処理の際に、第一の補正回路１０および第二の補正回路２０の内、当該ＤＣオフセット補正処理に関与していない側の補正回路を待機モード（電源オフもしくはスタンバイ）にする制御を行うように、当該ベースバンド処理部３０が構成されていても良い。
【０１０８】
上記のように、ＤＣオフセット補正処理に関与していない側の補正回路を待機モード（電源オフもしくはスタンバイ）とすることにより、無線通信装置の低消費電力化を図ることができる。
【０１０９】
なお、ベースバンド処理部３０が上記待機モード制御が可能なように構成されている場合において、第二の補正回路２０が活性化されているときには、第一の補正回路１０は待機モードになるように制御される。ただし、ベースバンド処理部３０からのベースバンド信号をＲＦ信号に変換して外部に送信する際には、ベースバンド処理部３０は、ＤＡコンバータ１３を活性化させる（アクティブにする）。また、受信ＲＦ信号をベースバンド処理部３０へ伝達する受信信号処理を行う際には、ベースバンド処理部３０は、ＡＤコンバータ１６を活性化させる（アクティブにする）。
【０１１０】
なお、ベースバンド処理部３０の制御において、上記各スイッチ部ＳＷ１〜ＳＷ６の制御のタイミングと補正回路１０、２０の待機モード解除のタイミングとが異なっていても良い。たとえば、第二の補正回路２０が活性化状態にあり（つまり、第二の補正回路２０を含む第二の帰還ループが選択されている）、第一の補正回路１０が非活性である（つまり、待機モードである）場合について考える。当該場合において、第一の補正回路１０を含む第一の帰還ループが選択させた後、当該第一の補正回路１０の待機モードを解除しても良い。
【０１１１】
なお、上記では受信側差動増幅器ＡＭＰ１で発生するＤＣオフセットを補正する場合について言及した。しかし、実施の形態１でも説明したように、ベースバンド増幅器のＤＣオフセット補正、ミキサのＤＣオフセット補正、またはバッファ・フィルタ等のＤＣオフセット補正にも、本実施の形態に係わる構成を適用することができる。
【０１１２】
＜実施の形態４＞
本実施の形態に係わる無線通信装置は、時分割通信方式に対応したＤＣオフセット補正回路（後述する第三の補正回路８０）を、ＲＦ信号の受信信号処理の際およびベースバンド信号をＲＦ信号として外部に送信する送信処理の際において、共通に使用することができる、構成を有する。
【０１１３】
図１０は、本実施の形態に係わる無線通信装置の要部構成を示す回路図である。図１０では、本発明に係わる主要部のみを図示している。ここで、本実施の形態に係わるダイレクトコンバージョン方式の無線通信装置には、公知のダイレクトコンバージョン方式の無線通信装置と同様に、図１０に示す回路ブロック以外の回路ブロックも存在する。しかし、図１０では、図面簡略化のために、本実施の形態と関連の低い回路ブロックの図示を省略している。
【０１１４】
図１０に示すように、本実施の形態に係わる無線通信装置は、第一の補正回路６０、第二の補正回路７０、第三の補正回路８０、ベースバンド処理部３０、受信側差動増幅器ＡＭＰ１、送信側差動増幅器ＡＭＰ２、および送信側ＤＡコンバータ５１等を備えている。なお、受信側差動増幅器ＡＭＰ１は、図示しない受信側ミキサの後段で、ベースバンド処理部３０の前段に配設されており、送信側差動増幅器ＡＭＰ２は、図示しない送信側ミキサの前段で、ベースバンド処理部３０の後段に配設されている。
【０１１５】
ここで、第一の補正回路６０は、受信側（つまり、ベースバンド処理部３０の前段）に配設されたＳｅｒｖｏ  ｌｏｏｐ方式の補正回路であり、常時通信方式に対応したＤＣオフセット補正処理を行うことができる。当該第一の補正回路６０では、受信側差動増幅器ＡＭＰ１で発生するＤＣオフセットを補正することができる。
【０１１６】
また、第二の補正回路７０は、送信側（つまり、ベースバンド処理部３０の後段）に配設されたＳｅｒｖｏ  ｌｏｏｐ方式の補正回路であり、常時通信方式に対応したＤＣオフセット補正処理を行うことができる。当該第二の補正回路７０では、送信側差動増幅器ＡＭＰ２で発生するＤＣオフセットを補正することができる。
【０１１７】
また、第三の補正回路８０は、Ｄｉｇｉｔａｌ  ｔｒｉｍｍｉｎｇ方式の補正回路であり、時分割通信方式に対応したＤＣオフセット補正処理を行うことができる。当該第三の補正回路８０では、受信側差動増幅器ＡＭＰ１および送信側差動増幅器ＡＭＰ２で発生するＤＣオフセットを各々補正することができる。
【０１１８】
第一の補正回路６０は、オフセット検知部６１、演算・増幅器６２、および抵抗器Ｒ１，Ｒ２（図１０では、図面簡略化のために、抵抗器Ｒ１，Ｒ２は符号６０の点線領域に囲まれていない）により構成されている。
【０１１９】
また、第二の補正回路７０は、オフセット検知部７１、演算・増幅器７２、および抵抗器Ｒ１，Ｒ２（図１０では、図面簡略化のために、抵抗器Ｒ１，Ｒ２は符号７０の点線領域に囲まれていない）により構成されている。
【０１２０】
また、第三の補正回路８０は、ＡＤコンバータ（ＡＤ変換部）８１、ロジック部（オフセット検知部とも把握できる）８２、ＤＡコンバータ（ＤＡ変換部）８３、スイッチ部ＳＷ１１，ＳＷ１２，ＳＷ１３，ＳＷ１４（第一のスイッチ部ないし第四のスイッチ部と把握できる）、および抵抗器Ｒ１，Ｒ２（または、抵抗器Ｒ３，Ｒ４）（図１０では、図面簡略化のために、抵抗器Ｒ１〜Ｒ４は符号８０の点線領域に囲まれていない）により構成されている。
【０１２１】
また、上記説明から分かるように、抵抗器Ｒ１、Ｒ２は、第一の補正回路６０および受信側差動増幅器ＡＭＰ１のＤＣオフセット補正処理を行う際の第三の補正回路８０において、共通に使用されている。また、抵抗器Ｒ３、Ｒ４は、第二の補正回路７０および送信側差動増幅器ＡＭＰ２のＤＣオフセット補正処理を行う際の第三の補正回路８０において、共通に使用されている。ここで、図１０に示すように、当該抵抗器Ｒ１，Ｒ２，Ｒ３，Ｒ４の一方端には、各々固定電位（所定の固定電源もしくは接地電位等）が接続されている。
【０１２２】
なお、スイッチ部ＳＷ１１〜ＳＷ１４と、当該スイッチ部ＳＷ１１〜ＳＷ１４に入力される制御信号ＥＮ１１〜ＥＮ１４、演算・増幅器６２，７２に入力される制御信号ＥＮ１５，ＥＮ１６とを送信するベースバンド処理部３０とにより、本実施の形態に係わる無線通信装置では、補正回路選択部を構成している。
【０１２３】
当該補正回路選択部は、ＲＦ信号の受信信号処理のときに発生するＤＣオフセットを補正する際には、第一の補正回路６０および第三の補正回路８０の何れか一方を活性化することができる。また、ベースバンド信号をＲＦ信号として外部に送信する送信処理のときに発生するＤＣオフセットを補正する際には、第二の補正回路７０および第三の補正回路８０の何れか一方を活性化することができる。
【０１２４】
ここで、上述の通り、スイッチ部ＳＷ１１，ＳＷ１２，ＳＷ１３，ＳＷ１４には、スイッチング動作を制御する制御信号ＥＮ１１，ＥＮ１２，ＥＮ１３，ＥＮ１４が各々入力し、演算・増幅器６２，７２には、活性・非活性を制御する制御信号ＥＮ１５，ＥＮ１６が各々入力する。
【０１２５】
なお、上述の通り各制御信号ＥＮ１１〜ＥＮ１６は、ベースバンド処理部３０から出力されている。つまり、当該ベースバンド処理部３０が、各スイッチ部ＳＷ１１〜ＳＷ１４のスイッチング処理および演算・増幅器６２，７２の活性・非活性を制御している。
【０１２６】
なお、各補正回路６０，７０，８０を構成する各ブロック回路の構成・機能は、実施の形態１および実施の形態２で説明した内容と同様である。
【０１２７】
また、図１０において、受信側差動増幅器ＡＭＰ１は、差動入力端子ＲＸＩＮ，ＲＸＩＮＢから入力された差動入力信号を増幅して、差動出力端子ＲＸＯＵＴ，ＲＸＯＵＴＢから増幅した差動出力信号を出力する。また、上記差動入力端子ＲＸＩＮ，ＲＸＩＮＢには抵抗器Ｒ１，Ｒ２の他方端が接続されている。送信側差動増幅器ＡＭＰ２は、差動入力端子ＴＸＩＮ，ＴＸＩＮＢから入力された差動入力信号を増幅して、差動出力端子ＴＸＯＵＴ，ＴＸＯＵＴＢから増幅した差動出力信号を出力する。また、上記差動入力端子ＴＸＩＮ，ＴＸＩＮＢには抵抗器Ｒ３，Ｒ４の他方端が接続されている。
【０１２８】
また、図１０において、スイッチ部ＳＷ１１，ＳＷ１２（第一のスイッチ部および第二のスイッチ部と把握できる）は各々、第三の補正回路８０を構成するＤＡコンバータ８３の後段に配設されており（つまり、第三の補正回路８０の出力側に配設されており）、当該ＤＡコンバータ８３と受信側差動増幅器ＡＭＰ１の差動入力端子ＲＸＩＮ，ＲＸＩＮＢとの接続、当該ＤＡコンバータ８３と送信側差動増幅器ＡＭＰ２の差動入力部ＴＸＩＮ，ＴＸＩＮＢとの接続、および図１０に示されているようにＤＡコンバータ８３の出力部が浮いた状態（つまり、スイッチ部ＳＷ１１，ＳＷ１２の他端が何れの端子ａ１，ａ２，ａ３，ａ４にも接続されていない状態であり、開放状態と把握できる）の何れかを、択一的に選択できる。
【０１２９】
また、図１０において、スイッチ部ＳＷ１３，ＳＷ１４（第三のスイッチ部および第四のスイッチ部と把握できる）は各々、第三の補正回路８０を構成するＡＤコンバータ８１の前段に配設されており（つまり、第三の補正回路８０の入力側に配設されており）、当該ＡＤコンバータ８１と受信側差動増幅器ＡＭＰ１の差動出力端子ＲＸＯＵＴ，ＲＸＯＵＴＢとの接続、当該ＡＤコンバータ８１と送信側差動増幅器ＡＭＰ２の差動出力部ＴＸＯＵＴ，ＴＸＯＵＴＢとの接続、および図１０に示されているようにＡＤコンバータ８１の出力部が浮いた状態（つまり、スイッチ部ＳＷ１３，ＳＷ１４の他端が何れの端子ｂ１，ｂ２，ｂ３，ｂ４にも接続されていない状態であり、開放状態と把握できる）の何れかを、択一的に選択できる。
【０１３０】
つまり、スイッチ部ＳＷ１１〜ＳＷ１４の配設により（より具体的には、スイッチ部ＳＷ１１〜ＳＷ１４の端子ａ１〜ａ４，ｂ１〜ｂ４への接続状況により）、第三の補正回路８０を、受信側差動増幅器ＡＭＰ１で発生するＤＣオフセットを時分割通信方式に対応したＤＣオフセット補正処理を行う回路として使用できると共に、送信側差動増幅器ＡＭＰ２で発生するＤＣオフセットを時分割通信方式に対応したＤＣオフセット補正処理を行う回路として使用できる。
【０１３１】
なお、図１０の構成から分かるように、第一の補正回路６０の入力部は、受信側差動増幅器ＡＭＰ１の差動出力端子ＲＸＯＵＴ，ＲＸＯＵＴＢに接続される。また、第一の補正回路６０の出力部は、受信側差動増幅器ＡＭＰ１の差動入力端子ＲＸＩＮ，ＲＸＩＮＢに接続される。第二の補正回路７０の入力部は、送信側差動増幅器ＡＭＰ２の差動出力端子ＴＸＯＵＴ，ＴＸＯＵＴＢに接続される。また、第二の補正回路７０の出力部は、送信側差動増幅器ＡＭＰ２の差動入力端子ＴＸＩＮ，ＴＸＩＮＢに接続される。
【０１３２】
よって、スイッチ部ＳＷ１１〜ＳＷ１４の配設により（より具体的には、スイッチ部ＳＷ１１〜ＳＷ１４の端子ａ１〜ａ４，ｂ１〜ｂ４への非接続により）、第一の補正回路６０を用いた、受信側差動増幅器ＡＭＰ１で発生するＤＣオフセットを常時通信方式に対応したＤＣオフセット補正処理することができ、または、第二の補正回路７０を用いた、送信側差動増幅器ＡＭＰ２で発生するＤＣオフセットを常時通信方式に対応したＤＣオフセット補正処理することができる。
【０１３３】
以上のことから、スイッチ部ＳＷ１１〜ＳＷ１４の動作および制御信号ＥＮ１５次第では、受信側差動増幅器ＡＭＰ１、ＤＣオフセット検知部６１、および演算・増幅器６２を経て、受信側差動増幅器ＡＭＰ１に帰還する第一の帰還ループが形成される。また、スイッチ部ＳＷ１１〜ＳＷ１４の動作および制御信号ＥＮ１６次第では、送信側差動増幅器ＡＭＰ２、ＤＣオフセット検知部７１、および演算・増幅器７２を経て、送信側差動増幅器ＡＭＰ２に帰還する第二の帰還ループが形成される。
【０１３４】
また、スイッチ部ＳＷ１１〜ＳＷ１４の動作および制御信号ＥＮ１５次第では、受信側差動増幅器ＡＭＰ１、スイッチ部ＳＷ１３，ＳＷ１４、ＡＤコンバータ８１、ロジック部８２、ＤＡコンバータ８３、およびスイッチ部ＳＷ１１，ＳＷ１２を経て、受信側差動増幅器ＡＭＰ１に帰還する第三の帰還ループが形成される。
【０１３５】
また、スイッチ部ＳＷ１１〜ＳＷ１４の動作および制御信号ＥＮ１６次第では、送信側差動増幅器ＡＭＰ２、スイッチ部ＳＷ１３，ＳＷ１４、ＡＤコンバータ８１、ロジック部８２、ＤＡコンバータ８３、およびスイッチ部ＳＷ１１，ＳＷ１２を経て、送信側差動増幅器ＡＭＰ２に帰還する第四の帰還ループが形成される。
【０１３６】
なお、図１０から分かるように、ベースバンド処理部３０と送信側差動増幅器ＡＭＰ２との間には、送信用のＤＡコンバータ５１が配設されている。
【０１３７】
以下、本実施の形態に係わる無線通信装置の動作（より具体的に、通信方式に対応して補正回路６０，７０，８０の何れかを選択する動作）について説明する。
【０１３８】
はじめに、無線通信装置が、差動増幅器ＡＭＰ１，ＡＭＰ２で発生したＤＣオフセットを第一の補正回路６０および第二の補正回路７０を用いて、補正する場合について説明する。
【０１３９】
当該場合には、ベースバンド処理部３０は、スイッチ部ＳＷ１１〜ＳＷ１４を何れの端子ａ１〜ａ４，ｂ１〜ｂ４とも接続しないように（つまり、スイッチ部ＳＷ１１〜ＳＷ１４のスイッチの一端は浮いた状態である）、当該スイッチ部ＳＷ１１〜ＳＷ１４に対して制御信号ＥＮ１１〜ＥＮ１４を送信する。さらに、ベースバンド処理部３０は、演算・増幅器６２，７２が活性となるように、当該演算・増幅器６２，７２に対して制御信号ＥＮ１５，ＥＮ１６を送信する。
【０１４０】
当該各制御信号ＥＮ１１〜ＥＮ１６の送信により、第一の帰還ループおよび第二の帰還ループが選択されるとともに、第三の補正回路８０は非活性化される。つまり、第一の補正回路６０および第二の補正回路７０が活性化される（アクティブになる）。なお、第一の補正回路６０および第二の補正回路７０が活性状態であっても、ＲＦ信号の受信信号処理およびベースバンド信号の送信処理は行うことが可能である。
【０１４１】
上記のように第一の補正回路６０および第二の補正回路７０が活性化されると、差動増幅器ＡＭＰ１，ＡＭＰ２からの差動出力信号は各々、ＤＣオフセット検知部６１，７１に入力され、当該ＤＣオフセット検知部６１，７１においてＤＣ近傍の信号が各々抽出される。
【０１４２】
当該抽出されたＤＣ近傍の信号は各々、演算・増幅器６２，７２に入力され、当該演算・増幅器６２，７２においてＤＣオフセット信号が各々抽出される。その後、演算・増幅器６２，７２は、当該ＤＣオフセット信号に応じたＤＣオフセット電流を、差動増幅器ＡＭＰ１，ＡＭＰ２の差動入力端子ＲＸＩＮ，ＲＸＩＮＢ，ＴＸＩＮ，ＴＸＩＮＢに各々帰還させる。そして、当該ＤＣオフセット電流が、抵抗器Ｒ１〜Ｒ４に流れることにより、ＤＣオフセット補正（ＤＣオフセット電圧の補正）が各々なされる。
【０１４３】
つまり、無線通信装置は、第一の補正回路６０および第二の補正回路７０を用いて、常時通信方式に対応したＤＣオフセット補正処理を実行する。
【０１４４】
次に、無線通信装置が、受信側差動増幅器ＡＭＰ１で発生したＤＣオフセットを第三の補正回路８０を用いて、補正する場合について説明する。
【０１４５】
当該場合には、ベースバンド処理部３０は、スイッチ部ＳＷ１１が端子ａ１と接続するように、当該スイッチ部ＳＷ１１に対して制御信号ＥＮ１１を送信する。また、ベースバンド処理部３０は、スイッチ部ＳＷ１２が端子ａ４と接続するように、当該スイッチ部ＳＷ１２に対して制御信号ＥＮ１２を送信する。また、ベースバンド処理部３０は、スイッチ部ＳＷ１３が端子ｂ１と接続するように、当該スイッチ部ＳＷ１３に対して制御信号ＥＮ１３を送信する。また、ベースバンド処理部３０は、スイッチ部ＳＷ１４が端子ｂ４と接続するように、当該スイッチ部ＳＷ１４に対して制御信号ＥＮ１４を送信する。さらに、ベースバンド処理部３０は、演算・増幅器６２が非活性となるように、当該演算・増幅器６２に対して制御信号ＥＮ１５を送信する。
【０１４６】
当該各制御信号ＥＮ１１〜ＥＮ１５の送信により、第三の帰還ループが形成（選択）されるとともに、第一の補正回路６０は非活性化される。つまり、第三の補正回路８０が活性化される（アクティブになる）。なお、第三の補正回路８０が活性状態であっても、ベースバンド信号の送信処理、送信側差動増幅器ＡＭＰ２で発生するＤＣオフセットの、第二の補正回路７０を用いた補正処理を行うことが可能である。
【０１４７】
上記のように第三の補正回路８０が活性化されると、受信側差動増幅器ＡＭＰ１からの差動出力信号は、ＡＤコンバータ８１に入力され、アナログ信号である差動出力信号はデジタル信号に変換される。その後、当該変換されたデジタル信号は、ロジック部８２において演算処理がなされ、ＤＣオフセット成分が抽出される。
【０１４８】
そして、当該ロジック部８２において、当該抽出されたＤＣオフセット成分の量に応じたコードが生成される。当該コードは、ＤＡコンバータ８３に入力され、デジタル信号からアナログ信号（ＤＣオフセット電流）に変換され、当該ＤＣオフセット電流は、受信側差動増幅器ＡＭＰ１の差動入力端子ＲＸＩＮ，ＲＸＩＮＢに帰還される。そして、当該ＤＣオフセット電流が抵抗器Ｒ１，Ｒ２に流れることにより、ＤＣオフセット補正（ＤＣオフセット電圧の補正）がなされる。
【０１４９】
つまり、無線通信装置は、第三の補正回路８０を用いて、時分割通信方式に対応したＤＣオフセット補正処理（特に、受信側差動増幅器ＡＭＰ１で発生したＤＣオフセットの補正処理）を実行する。なお、ＤＣコンバータ８３では、当該コードを次のＤＣオフセット補正処理が行われるまで保持する。
【０１５０】
次に、無線通信装置が、送信側差動増幅器ＡＭＰ２で発生したＤＣオフセットを第三の補正回路８０を用いて、補正する場合について説明する。
【０１５１】
当該場合には、ベースバンド処理部３０は、スイッチ部ＳＷ１１が端子ａ２と接続するように、当該スイッチ部ＳＷ１１に対して制御信号ＥＮ１１を送信する。また、ベースバンド処理部３０は、スイッチ部ＳＷ１２が端子ａ３と接続するように、当該スイッチ部ＳＷ１２に対して制御信号ＥＮ１２を送信する。また、ベースバンド処理部３０は、スイッチ部ＳＷ１３が端子ｂ２と接続するように、当該スイッチ部ＳＷ１３に対して制御信号ＥＮ１３を送信する。また、ベースバンド処理部３０は、スイッチ部ＳＷ１４が端子ｂ３と接続するように、当該スイッチ部ＳＷ１４に対して制御信号ＥＮ１４を送信する。さらに、ベースバンド処理部３０は、演算・増幅器７２が非活性となるように、当該演算・増幅器７２に対して制御信号ＥＮ１６を送信する。
【０１５２】
当該各制御信号ＥＮ１１〜ＥＮ１４，ＥＮ１６の送信により、第四の帰還ループが形成（選択）されるとともに、第二の補正回路７０は非活性化される。つまり、第三の補正回路８０が活性化される（アクティブになる）。なお、第三の補正回路８０が活性状態であっても、ＲＦ信号の受信信号処理、受信側差動増幅器ＡＭＰ１で発生するＤＣオフセットの、第一の補正回路６０を用いた補正処理を行うことが可能である。
【０１５３】
上記のように第三の補正回路８０が活性化されると、送信側差動増幅器ＡＭＰ２からの差動出力信号は、ＡＤコンバータ８１に入力され、アナログ信号である差動出力信号はデジタル信号に変換される。その後、当該変換されたデジタル信号は、ロジック部８２において演算処理がなされ、ＤＣオフセット成分が抽出される。
【０１５４】
そして、当該ロジック部８２において、当該抽出されたＤＣオフセット成分の量に応じたコードが生成される。当該コードは、ＤＡコンバータ８３に入力され、デジタル信号からアナログ信号（ＤＣオフセット電流）に変換され、当該ＤＣオフセット電流は、送信側差動増幅器ＡＭＰ２の差動入力端子ＴＸＩＮ，ＴＸＩＮＢに帰還される。そして、当該ＤＣオフセット電流が抵抗器Ｒ３，Ｒ４に流れることにより、ＤＣオフセット補正（ＤＣオフセット電圧の補正）がなされる。
【０１５５】
つまり、無線通信装置は、第三の補正回路８０を用いて、時分割通信方式に対応したＤＣオフセット補正処理（特に、送信側差動増幅器ＡＭＰ２で発生したＤＣオフセットの補正処理）を実行する。なお、ＤＣコンバータ８３では、当該コードを次のＤＣオフセット補正処理が行われるまで保持する。
【０１５６】
以上のように、本実施の形態に係わる無線通信装置は、スイッチ部ＳＷ１１〜ＳＷ１４を設けることにより、受信側差動増幅器ＡＭＰ１で発生するＤＣオフセットの補正処理の際および送信側差動増幅器ＡＭＰ２で発生するＤＣオフセットの補正処理の際に、時分割通信方式に対応したＤＣオフセット補正処理が可能ある第三の補正回路８０を共通に使用している。
【０１５７】
換言すれば、当該第三の補正回路８０の共通化を可能とするために、信号の受信処理のときに発生するＤＣオフセットを補正する際には、第一の補正回路６０および第三の補正回路８０の何れか一方を活性化することができ、また、信号の送信処理のときに発生するＤＣオフセットを補正する際には、第二の補正回路７０および第三の補正回路８０の何れか一方を活性化することができる補正回路選択部を、本実施の形態に係わる無線通信装置は備えている。
【０１５８】
したがって、時分割通信方式に対応したＤＣオフセット補正処理が可能である、余分な補正回路の配設を省略することができるので、当該第三の補正回路８０を共通使用しない構成と比べて、無線通信装置全体の小型化が可能となると共に、製造コストの削減を図ることができる。
【０１５９】
なお、上述の通り、当該ダイレクトコンバージョン方式の無線通信装置は、時分割通信方式に対応したＤＣオフセット補正処理および常時通信方式に対応したＤＣオフセット補正処理を選択的に実行することもできることは、言うまでも無い。
【０１６０】
また、本実施の形態に係わる無線通信装置は、ベースバンド処理を行うベースバンド処理部３０が、制御信号ＥＮ１１〜ＥＮ１６を送出している。そして、当該制御信号ＥＮ１１〜ＥＮ１６により、補正回路選択部の制御（つまり、第一の補正回路６０および第三の補正回路８０の何れか一方を活性化し、また第二の補正回路７０および第三の補正回路８０の何れか一方を活性化する制御）を行っている。
【０１６１】
（効果）
また、実施の形態１と本実施の形態とを組み合わせても良く、また、実施の形態３と本実施の形態とを組み合わせても良い。
【０１６２】
つまり、図１１に示すように、本実施の形態に係わる無線通信装置において、ＤＡコンバータ８３の共通化（一のＤＡコンバータ８３は、ベースバンド信号送信処理の際にＤＡ変換処理を行うと共に、時分割通信方式に対応したＤＣオフセット補正処理の際にＤＡ変換処理を行う（また所定のコードを所定の期間保持する）機能を有する）を図っても良い。
【０１６３】
また、図１２に示すように、本実施の形態に係わる無線通信装置において、ＤＡコンバータ８３の共通化およびＡＤコンバータ８１の共通化（一のＡＤコンバータ８１は、ＲＦ信号受信処理の際にＡＤ変換処理を行うと共に、時分割通信方式に対応したＤＣオフセット補正処理の際にＡＤ変換処理を行う機能を有する）を図っても良い。
【０１６４】
当該図１１，１２の構成を採用することにより、図１１の構成は、図１０の構成と比較して、より回路規模の削減、製造コストの削減等を図ることができ、図１２の構成は、図１１の構成と比較して、さらに回路規模の削減、製造コストの削減等を図ることができる。
【０１６５】
なお、図１１，１２の構成において、図１０以外の構成で新たに追加されたスイッチ部ＳＷ２０（第五のスイッチ部と把握できる）、スイッチ部ＳＷ２１（第六のスイッチ部と把握できる）を制御しているのは、上記各実施の形態で説明したように、ベースバンド処理部３０である。ここで、上述の通り、当該各スイッチ部ＳＷ２０，ＳＷ２１の制御は、ベースバンド処理部３０が各スイッチ部ＳＷ２０，ＳＷ２１に各制御信号ＥＮ２０，ＥＮ２１を送信することにより実現される。
【０１６６】
（効果）
また、本実施の形態に係わる無線通信装置では、ベースバンド処理部３０が次のように構成されていても良い。つまり、ＤＣオフセット補正処理の際に、第一の補正回路６０乃至前記第三の補正回路８０の内、当該ＤＣオフセット補正処理に関与していない側の補正回路を待機モード（電源オフもしくはスタンバイ）にする制御を行うように、当該ベースバンド処理部３０が構成されていても良い。
【０１６７】
上記のように、ＤＣオフセット補正処理に関与していない側の補正回路を待機モード（電源オフもしくはスタンバイ）とすることにより、無線通信装置の低消費電力化を図ることができる。
【０１６８】
なお、図１１，１２の構成でベースバンド処理部３０が上記待機モード制御が可能なように構成されている場合において、第三の補正回路８０が待機モードになるように制御されているとする。当該仮定において、ベースバンド信号の送信処理の際またはＲＦ信号の受信信号処理の際には、ベースバンド処理部３０は、共通化されているＤＡコンバータ８３またはＡＤコンバータ８１を活性化させる（アクティブにする）。
【０１６９】
また、ベースバンド処理部３０の制御において、上記各スイッチ部ＳＷ１１〜ＳＷ１４の制御のタイミングと補正回路６０，７０，８０の待機モード解除のタイミングとが異なっていても良い。たとえば、第二の補正回路７０が活性化状態にあり（つまり、第二の補正回路７０を含む第二の帰還ループが選択されている）、第三の補正回路８０が非活性である（つまり、待機モードである）場合について考える。当該場合において、第三の補正回路８０を含む第三（もしくは第四）の帰還ループが選択させた後、当該第三の補正回路８０の待機モードを解除しても良い。
【０１７０】
なお、上記各実施の形態では、ベースバンド処理部３０とロジック部１２，８２とは別回路として構成されていた。しかし、両回路を一体化し、一のデジタル処理回路として構成しても良い。図１３は、当該両回路を一体化した構成の一例であり、実施の形態３に係わる構成において両回路を一体化した場合の構成である。
【０１７１】
図１３に示すように、ロジック部が省略されており、ベースバンド処理を行うことができ、上述したロジック部の処理を行うことができるデジタル処理回路３１が配設されている。
【図面の簡単な説明】
【０１７２】
【図１】実施の形態１に係わる無線通信装置の主要部の構成を示すブロック図である。
【図２】ＤＡコンバータが共通化されていない無線通信装置の構成を示すブロック図である。
【図３】実施の形態１に係わる無線通信装置の他の構成を示すブロック図である。
【図４】実施の形態２に係わる第二の補正回路の構成を示すブロック図である。
【図５】実施の形態２に係わる第二の補正回路の具体的な構成例を示す回路図である。
【図６】オフセット電圧とオフセット電流との関係を示す図である。
【図７】オフセット電圧とオフセット電流との関係を示す図である。
【図８】実施の形態２に係わる第二の補正回路の他の構成を示すブロック図である。
【図９】実施の形態３に係わる無線通信装置の主要部の構成を示すブロック図である。
【図１０】実施の形態４に係わる無線通信装置の主要部の構成を示すブロック図である。
【図１１】実施の形態１に係わる構成と実施の形態４に係わる構成とを組み合わせた図である。
【図１２】実施の形態３に係わる構成と実施の形態４に係わる構成とを組み合わせた図である。
【図１３】ベースバンド処理部とロジック部とを一体化した構成を示す図である。
【符号の説明】
【０１７３】
１０，６０  第一の補正回路、１１，８１  ＡＤコンバータ（ＡＤ変換部）、１２，８２  ロジック部（オフセット検知部）、１３，８３  ＤＡコンバータ（ＤＡ変換部）、２０，７０  第二の補正回路、２１，６１，７１  オフセット検知部、２２，６２，７２  演算・増幅器、２２ａ  電流対生成部、２２ｂ  減算器、３０  ベースバンド処理部、８０  第三の補正回路、ＡＭＰ１  受信側差動増幅器、ＡＭＰ２  送信側差動増幅器、ＳＷ１〜ＳＷ４，ＳＷ１１〜ＳＷ１４，ＳＷ２０，ＳＷ２１  スイッチ部、Ｒ１〜Ｒ４  抵抗器。
【図１】
2008016920.tif 000003
【図２】
2008016920.tif 000004
【図３】
2008016920.tif 000005
【図４】
2008016920.tif 000006
【図５】
2008016920.tif 000007
【図６】
2008016920.tif 000008
【図７】
2008016920.tif 000009
【図８】
2008016920.tif 000010
【図９】
2008016920.tif 000011
【図１０】
2008016920.tif 000012
【図１１】
2008016920.tif 000013
【図１２】
2008016920.tif 000014
【図１３】
2008016920.tif 000015